(57)【要約】【課題】電話機等の通信装置と、通信装置と近距離無線通信及び遠距離無線通信が可能な第１移動端末装置及び第２移動端末装置とを用い、例えば、ユーザが第２移動端末装置を忘れて外出した場合に、その旨を第１移動端末装置へ通知するシステムにおいて、識別情報の登録時の利便性を向上させる通信システム及び通信装置を提供する。【解決手段】通信装置１は、第１移動端末装置２との接続していた近距離通信が切断され（Ｓ１０２：ＹＥＳ）、かつ第１移動端末装置２との遠距離通信が可能であると判別した場合であって（Ｓ１０３：ＹＥＳ）、第２移動端末装置３との近距離通信が可能であると判別したとき（Ｓ１０４：ＹＥＳ）、遠距離無線通信部１８から第１移動端末装置２へ出力指示命令を送信する（Ｓ１０５）。【選択図】図６
2015053551.tif 000002
【特許請求の範囲】
【請求項１】
通信装置と、前記通信装置と無線による通信が可能な複数の移動端末装置とを備える通信システムであって、
前記通信装置は、
第１の通信方法で通信が可能な第１通信手段と、
第１の通信方法と異なる第２の通信方法で通信が可能な第２通信手段と、
一の移動端末装置に対し、接続していた第１の通信方法での通信が切断され、かつ第２の通信方法での通信が可能であるという第１通信条件を満たすか否かを判別する第１判別手段と、
前記第１判別手段により、第１通信条件を満たすと判別した場合に、他の移動端末装置と第１の通信方法での通信が可能であるという第２通信条件を満たすか否かを判別する第２判別手段と、
前記第２判別手段により、第２通信条件を満たすと判別したときに、一の移動端末装置に対し、第２の通信方法で所定の通信処理を行う手段と
を備えることを特徴とする通信システム。
【請求項２】
複数の移動端末装置と無線通信が可能な通信装置であって、
前記移動端末装置と第１の通信方法で通信が可能な第１通信手段と、
第１の通信方法と異なる第２の通信方法で、前記移動端末装置と通信が可能な第２通信手段と、
一の移動端末装置に対し、接続していた第１の通信方法での通信が切断され、かつ第２の通信方法での通信が可能であるという第１通信条件を満たすか否かを判別する第１判別手段と、
前記第１判別手段により、第１通信条件を満たすと判別した場合に、他の移動端末装置と第１の通信方法での通信が可能であるという第２通信条件を満たすか否かを判別する第２判別手段と、
前記第２判別手段により、第２通信条件を満たすと判別したときに、一の移動端末装置に対し、第２の通信方法で所定の通信処理を行う手段と
を備えることを特徴とする通信装置。
【請求項３】
請求項２に記載の通信装置であって、
前記第２判別手段は、前記第１判別手段による第１通信条件についての判別から所定時間経過後に、第２通信条件について判別する
ことを特徴とする通信装置。
【請求項４】
請求項２又は請求項３に記載の通信装置であって、
前記第１通信手段による第１の通信方法は、近距離用の無線通信方法であり、
前記第２通信手段による第２の通信方法は、第１の通信方法より遠距離の無線通信も可能な無線通信方法である
ことを特徴とする通信装置。
【請求項５】
請求項４に記載の通信装置であって、
前記所定の通信処理は、
前記他の移動端末装置までの距離と比べて、前記一の移動端末装置までの距離が遠い旨を示す情報を通知する処理である
ことを特徴とする通信装置。
【発明の詳細な説明】
【技術分野】
【０００１】
本発明は、通信装置と、前記通信装置と無線通信が可能な複数の移動端末装置とを備える通信システム、及びそのような通信システムにて用いられる通信装置に関する。
【背景技術】
【０００２】
電話機等の通信装置と、無線通信が可能な移動端末装置とを備える通信システムが普及している。例えば、通信装置を電話機の親機とし、移動端末装置を電話機の子機として、ＤＥＣＴ（Digital Enhanced Cordless Telecommunications）等の通信規格に基づいて通信する通信システムがある。また、例えば、電話機等の通信装置と、携帯型電話機等の移動端末装置とを、ブルートゥース（Bluetooth ；登録商標）等の近距離用の通信規格に基づいて通信接続する通信システムがある。
【０００３】
一方、移動端末装置を用いた通信システムでは、移動端末装置の紛失、携帯忘れ等のトラブルが生じる危険性がある。
【０００４】
このようなトラブルを防止する方法として、各機器間でＩＤを登録し、近距離通信の通信接続状態を維持するものとし、いずれかの機器がいずれかの機器と近距離通信の接続が途切れた場合に、報知を行う携帯情報機器が開示されている（特許文献１参照。）。
【先行技術文献】
【特許文献】
【０００５】
【特許文献１】特開２００１−２３７９５０号公報
【発明の概要】
【発明が解決しようとする課題】
【０００６】
しかしながら、特許文献１に開示された携帯情報機器は、全ての機器に、全ての機器のＩＤを登録しておかなければならず、ユーザの利便性に関する問題がある。
【０００７】
本発明は斯かる事情に鑑みてなされたものであり、通信装置が、複数の移動端末装置との通信状況を判別してトラブルの有無を判別するので、全ての機器に、全ての機器のＩＤを登録する必要が無いため、利便性に優れた通信システムの提供を目的とする。
【０００８】
また、本発明は、本発明に係る通信システムにて用いられる通信装置の提供を他の目的とする。
【課題を解決するための手段】
【０００９】
上記課題を解決するため、本願に記載の通信システムは、通信装置と、前記通信装置と無線による通信が可能な複数の移動端末装置とを備える通信システムであって、前記通信装置は、第１の通信方法で通信が可能な第１通信手段と、第１の通信方法と異なる第２の通信方法で通信が可能な第２通信手段と、一の移動端末装置に対し、接続していた第１の通信方法での通信が切断され、かつ第２の通信方法での通信が可能であるという第１通信条件を満たすか否かを判別する第１判別手段と、前記第１判別手段により、第１通信条件を満たすと判別した場合に、他の移動端末装置と第１の通信方法での通信が可能であるという第２通信条件を満たすか否かを判別する第２判別手段と、前記第２判別手段により、第２通信条件を満たすと判別したときに、一の移動端末装置に対し、第２の通信方法で所定の通信処理を行う手段とを備えることを特徴とする。
【００１０】
また、本願に記載の通信システムは、前記通信装置は、更に、前記移動端末装置を示す識別情報同士を対応付けて記録する記録手段と、前記第１判別手段により、第１通信条件を満たすと判別した場合に、前記記録手段を参照して、一の移動端末装置を示す識別情報に対応付けて記録されている識別情報を抽出する抽出手段とを備え、前記第２判別手段は、前記抽出手段が抽出した識別情報にて示される移動端末装置を、他の移動端末装置として判別することを特徴とする。
【００１１】
また、本願に記載の通信システムは、前記第２判別手段は、前記第１判別手段による第１通信条件についての判別から所定時間経過後に、第２通信条件について判別することを特徴とする。
【００１２】
また、本願に記載の通信システムは、前記第１通信手段による第１の通信方法は、近距離用の無線通信方法であり、前記第２通信手段による第２の通信方法は、第１の通信方法より遠距離の無線通信も可能な無線通信方法であることを特徴とする。
【００１３】
また、本願に記載の通信システムは、前記所定の通信処理は、前記通信装置から前記他の移動端末装置までの距離と比べて、前記通信装置から前記一の移動端末装置までの距離が遠いことを示す情報を通知する処理であることを特徴とする。
【００１４】
また、本願に記載の通信システムは、前記通信装置は、電話通信が可能な電話通信手段を更に備え、前記第１通信手段により、前記他の移動端末装置に対して電話通信を中継することを特徴とする。
【００１５】
また、本願に記載の通信システムは、前記所定の通信処理は、所定の画像の出力指示命令の送信、所定の音の出力指示命令の送信、所定の作動指示命令の送信、電子メールの送信、及び発呼のうちの少なくとも一つであることを特徴とする。
【００１６】
また、本願に記載の通信システムは、通信装置と、前記通信装置と無線による通信が可能な複数の移動端末装置とを備える通信システムであって、前記通信装置及び前記移動端末装置の間は、第１の通信方法で通信が可能であり、かつ、第１の通信方法と異なる第２の通信方法で通信が可能であり、前記通信装置及び一の移動端末装置との間で、接続していた第１の通信方法での通信が切断され、かつ第２の通信方法での通信が可能であるという第１通信条件を満たすか否かを判別する第１判別手段と、前記第１判別手段により、第１通信条件を満たすと判別した場合に、前記通信装置及び他の移動端末装置との間で、第１の通信方法での通信が可能であるという第２通信条件を満たすか否かを判別する第２判別手段と、前記第２判別手段により、第２通信条件を満たすと判別したときに、前記通信装置及び一の移動端末装置の間で、第２の通信方法で所定の通信処理を行う手段とを備えることを特徴とする。
【００１７】
また、本願に記載の通信装置は、複数の移動端末装置と無線通信が可能な通信装置であって、前記移動端末装置と第１の通信方法で通信が可能な第１通信手段と、第１の通信方法と異なる第２の通信方法で、前記移動端末装置と通信が可能な第２通信手段と、一の移動端末装置に対し、接続していた第１の通信方法での通信が切断され、かつ第２の通信方法での通信が可能であるという第１通信条件を満たすか否かを判別する第１判別手段と、前記第１判別手段により、第１通信条件を満たすと判別した場合に、他の移動端末装置と第１の通信方法での通信が可能であるという第２通信条件を満たすか否かを判別する第２判別手段と、前記第２判別手段により、第２通信条件を満たすと判別したときに、一の移動端末装置に対し、第２の通信方法で所定の通信処理を行う手段とを備えることを特徴とする。
【００１８】
また、本願に記載の通信装置は、前記第２判別手段は、前記第１判別手段による第１通信条件についての判別から所定時間経過後に、第２通信条件について判別することを特徴とする。
【００１９】
また、本願に記載の通信装置は、前記第１通信手段による第１の通信方法は、近距離用の無線通信方法であり、前記第２通信手段による第２の通信方法は、第１の通信方法より遠距離の無線通信も可能な無線通信方法であることを特徴とする。
【００２０】
また、本願に記載の通信装置は、前記所定の通信処理は、前記他の移動端末装置までの距離と比べて、前記一の移動端末装置までの距離が遠い旨を示す情報を通知する処理であることを特徴とする。
【００２１】
また、本願に記載の移動端末装置は、通信装置と無線通信が可能な移動端末装置であって、前記通信装置と第１の通信方法で通信が可能な第１通信手段と、第１の通信方法と異なる第２の通信方法で、前記通信装置と通信が可能な第２通信手段とを備え、前記通信装置との間で、第１の通信方法での通信が切断され、かつ第２の通信方法での通信が可能である場合に、前記通信装置からの所定の通信処理を受け付ける手段と、受け付けた所定の通信処理に基づいて、前記通信装置が他の装置と通信が可能であることを示す出力を行う手段とを備えることを特徴とする。
【００２２】
また、本願に記載の通信プログラムは、複数の移動端末装置と無線通信が可能なコンピュータに、通信処理を実行させる通信プログラムであって、コンピュータに、一の移動端末装置に対し、接続していた第１の通信方法での通信が切断され、かつ第１の通信方法と異なる第２の通信方法での通信が可能であるという第１通信条件を満たすか否かを判別する第１判別手順と、前記第１判別手順により、第１通信条件を満たすと判別した場合に、他の移動端末装置と第１の通信方法での通信が可能であるという第２通信条件を満たすか否かを判別する第２判別手順と、前記第２判別手順により、第２通信条件を満たすと判別したときに、一の移動端末装置に対し、第２の通信方法で所定の通信処理を行う手順とを実行させることを特徴とする。
【００２３】
また、本願に記載の通信方法は、通信装置と、前記通信装置と無線通信が可能な複数の移動端末装置とを用いた通信方法であって、前記通信装置は、一の移動端末装置に対し、接続していた第１の通信方法での通信が切断され、かつ第１の通信方法と異なる第２の通信方法での通信が可能であるという第１通信条件を満たすか否かを判別する第１判別手順と、前記第１判別手順により、第１通信条件を満たすと判別した場合に、他の移動端末装置と第１の通信方法での通信が可能であるという第２通信条件を満たすか否かを判別する第２判別手順と、前記第２判別手順により、第２通信条件を満たすと判別したときに、一の移動端末装置に対し、第２の通信方法で所定の通信処理を行う手順とを行うことを特徴とする。
【発明の効果】
【００２４】
本発明に係る通信システム及び通信装置は、通信装置が、一の移動端末装置に対し、第１の通信方法での通信が切断され、かつ第２の通信方法での通信が可能である場合であって、他の移動端末装置と第１の通信方法での通信が可能であるときに、一の移動端末装置に対し、所定の通信処理を行う。この構成により、通信装置に、各移動端末装置を認識させておくだけで、移動端末装置の携帯忘れ等のトラブルを防止することができるので、機器のＩＤの登録作業の簡略化が可能であり、利便性に優れている等、優れた効果を奏する。
【図面の簡単な説明】
【００２５】
【図１】本発明の第１の実施形態に係る通信システムの構成例を概念的に示す説明図である。
【図２】本発明の第１の実施形態に係る通信システムにて用いられる通信装置の構成例を示すブロック図である。
【図３】本発明の第１の実施形態に係る通信システムにて用いられる第１移動端末装置の構成例を示すブロック図である。
【図４】本発明の第１の実施形態に係る通信システムにて用いられる第２移動端末装置の構成例を示すブロック図である。
【図５】本発明の第１の実施形態に係る通信システムの概要を示す説明図である。
【図６】本発明の第１の実施形態に係る通信システムにて用いられる通信装置の処理の一例を示すフローチャートである。
【図７】本発明の第１の実施形態に係る通信システムにて用いられる第１移動端末装置の処理の一例を示すフローチャートである。
【図８】本発明の第２の実施形態に係る通信システムの構成例を概念的に示す説明図である。
【図９】本発明の第２の実施形態に係る通信装置が備えるグループテーブルの記録内容を概念的に示す説明図である。
【図１０】本発明の第２の実施形態に係る通信システムにて用いられる通信装置の処理の一例を示すフローチャートである。
【図１１】本発明の第３の実施形態に係る通信システムの構成例を概念的に示す説明図である。
【図１２】本発明の第３の実施形態に係る通信システムにて用いられる通信装置の処理の一例を示すフローチャートである。
【発明を実施するための形態】
【００２６】
以下、本発明の実施の形態について図面を参照しながら説明する。なお、以下の実施の形態は、本発明を具現化した一例であって、本発明の技術的範囲を限定する性格のものではない。
【００２７】
（第１の実施形態）
図１は、本発明の第１の実施形態に係る通信システムの構成例を概念的に示す説明図である。本発明に係る通信システムは、固定電話等の通信装置１と、通信装置１との無線通信が可能な複数台の移動端末装置とを備えている。以下では、移動端末装置として、携帯可能なキーホルダ型の無線機等の第１移動端末装置２と、携帯型電話機等の第２移動端末装置３とを用いる例について説明する。
【００２８】
通信装置１と第１移動端末装置２との間は、ブルートゥース（Bluetooth ；登録商標）等の近距離用の無線通信方法による通信が可能であり、また、近距離用の無線通信方法より遠距離の通信も可能なＤＥＣＴ（Digital Enhanced Cordless Telecommunications）、ＷＬＡＮ（Wireless LAN）、３Ｇ等の遠距離用の無線通信方法による通信も可能である。同様に、通信装置１と第２移動端末装置３との間も、近距離用の無線通信方法による通信が可能であり、また、遠距離用の無線通信方法による通信も可能である。例えば、見通しの良い場所であれば、ブルートゥースによる通信では、１０ｍ程度まで通信することが可能であり、ＤＥＣＴによる通信では、近距離用の無線通信方法より遠い１００ｍ程度まで通信することが可能である。また、通信装置１による電話通信を、近距離用の無線通信方法により、第２移動端末装置３に中継することで、通信装置１を親機とし、第２移動端末装置３を子機として用いることが可能である。
【００２９】
第１移動端末装置２は、通常、ユーザが外出時に携帯すると考えられる財布、鞄等の携帯品に取り付けられ、第２移動端末装置３、即ち、携帯型電話機を忘れたことを、後述する方法により、ユーザに通知する機能を有する。
【００３０】
次に本発明に係る通信システムにて用いられる各種装置の構成例について説明する。図２は、本発明の第１の実施形態に係る通信システムにて用いられる通信装置１の構成例を示すブロック図である。通信装置１は、制御部１０、記録部１１、記憶部１２、表示部１３、入力部１４、音声処理部１５、近距離無線通信部１７、遠距離無線通信部１８、電話通信部１９等の各種機構を備えている。
【００３１】
制御部１０は、情報処理回路、計時回路、レジスタ回路等の各種回路を備え、装置内の各部を制御する処理を実行するＣＰＵ（Central Processing Unit ）等の機構である。
【００３２】
記録部１１は、フラッシュメモリ（Flash Memory）等の不揮発性記録機構、及び各種ＲＡＭ（Random Access Memory）等の揮発性記録機構を用いて構成される機構であり、本発明に係る通信プログラム１１０等の各種プログラム及びデータ等の情報が記録されている。また、記録部１１の記録領域の一部には、第１移動端末装置２及び第２移動端末装置３との無線通信に必要なＩＤ等の識別情報が記録されている。
【００３３】
記憶部１２は、揮発性記録機構を用いて構成される機構であり、各種プログラムの実行に際し、一時的に発生するデータを記憶する。なお、便宜上、記録部１１及び記憶部１２を異なる機構として示しているが、一の回路で構成しても良く、また相互にその機能を補完することも可能である。
【００３４】
表示部１３は、液晶パネル等の画像表示部材を用いて構成される出力機構であり、ユーザに情報を視認させる機能を有する。
【００３５】
入力部１４は、数字キー、各種機能キー等の押しボタンを用いて構成される機構であり、ユーザの入力を受け付ける機能を有する。
【００３６】
音声処理部１５は、音声に関する各種情報処理を行う機構である。音声処理部１５には、ユーザの発生を受音し、音声信号に変換するマイクロホン等の音声入力部１５０と、音声信号を音声として出力するスピーカ等の音声出力部１５１とを有する送受話器が接続されている。
【００３７】
近距離無線通信部１７は、ブルートゥース等の近距離通信機能により近傍に位置する第１移動端末装置２、第２移動端末装置３等の無線装置を探索し、無線による通信接続を確立して、各種情報及び命令を送受信する制御機構及びアンテナを備える機構である。なお、通信装置１は、電話通信部１９による他の電話機との電話通信を、近距離無線通信部１７により、第２移動端末装置３に対して中継することも可能である。近距離無線通信部１７により、電話通信を中継することで、通信装置１は、電話機の親機として機能し、第２移動端末装置３は、電話機の子機として機能する。
【００３８】
遠距離無線通信部１８は、ＤＥＣＴ等の遠距離通信機能により、第１移動端末装置２、第２移動端末装置３等の無線装置を探索し、無線による通信接続を確立して、各種情報及び命令を送受信する制御機構及びアンテナを備える機構である。
【００３９】
電話通信部１９は、電話回線に接続し、着呼検出、ＤＴＭＦ信号検出、ＤＴＭＦ信号発生、呼接続の確立等の各種電話通信処理を実行する機構である。なお、電話通信部１９による電話通信処理は、無線電話通信網を介することにより、近距離無線通信部１７による近距離用の無線通信方法より遠距離の無線通信も可能である。
【００４０】
図３は、本発明の第１の実施形態に係る通信システムにて用いられる第１移動端末装置２の構成例を示すブロック図である。第１移動端末装置２は、制御部２０、記録部２１、記憶部２２、出力部２３、近距離無線通信部２４、遠距離無線通信部２５等の各種機構を備えている。
【００４１】
出力部２３は、例えば、ＬＥＤ（Light Emitting Diode）等の発光手段、液晶パネル等の表示手段、スピーカ等の音声出力手段、バイブレータ等の振動手段を用いて構成される出力機構であり、ユーザに情報を認識させる機能を有する。
【００４２】
このように構成された第１移動端末装置２は、通信装置１と近距離無線通信部２４及び遠距離無線通信部２５により、通信装置１と無線通信が可能であり、通信内容に基づき出力機構から所定の出力を行う。
【００４３】
図４は、本発明の第１の実施形態に係る通信システムにて用いられる第２移動端末装置３の構成例を示すブロック図である。第２移動端末装置３は、制御部３０、記録部３１、記憶部３２、表示部３３、入力部３４、音声処理部３５、近距離無線通信部３６、遠距離無線通信部３７等の各種機構を備えている。また、音声処理部３５には、音声入力部３５０及び音声出力部３５１が接続されている。
【００４４】
次に本発明に係る通信システムにて実行される通信方法について説明する。先ず、通信方法の概要について説明する。図５は、本発明の第１の実施形態に係る通信システムの概要を示す説明図である。通信装置１は、固定電話として、家屋内に設置されており、ユーザは、第１移動端末装置２を常時携帯し、また、外出時には第２移動端末装置３も携帯する場合の例について説明する。
【００４５】
図５（ａ）に示すように、ユーザが在宅している場合、通信装置１は、第１移動端末装置２と近距離用の無線通信方法及び遠距離用の無線通信方法の双方で通信が可能である。また、通信装置１は、第２移動端末装置３とも近距離用の無線通信方法及び遠距離用の無線通信方法の双方で通信が可能である。なお、図５では、説明の便宜上、第２移動端末装置３は、通信装置１と近距離用の無線通信方法にて接続が確立している状態のみを示している。
【００４６】
ここで、ユーザは、第１移動端末装置２を携帯し、かつ第２移動端末装置３を家屋内に置き忘れて外出するものとする。図５（ｂ）に示すように、ユーザが外出し、第１移動端末装置２が通信装置１との近距離用の無線通信の通信圏内から外れると、接続していた近距離用の無線通信は切断されるが、遠距離用の無線通信方法での通信は可能な状態となる。また、家屋内に置き忘れた第２移動端末装置３については、通信装置１との近距離用の無線通信方法での通信が接続されたままの状態となる。通信装置１は、第１移動端末装置２との近距離通信が切断されたにも関わらず、第２移動端末装置３との近距離通信が接続されて通信可能な状態を、第２移動端末装置３の携帯忘れと判断し、その旨を第１移動端末装置２へ通知する。これにより、ユーザは、第２移動端末装置３の携帯を忘れたことを認識する。
【００４７】
次に本発明に係る通信システムにて用いられる各種装置の具体的な処理について説明する。図６は、本発明の第１の実施形態に係る通信システムにて用いられる通信装置１の処理の一例を示すフローチャートである。通信装置１は、記録部１１に記録されている通信プログラム１１０を実行する制御部１０の制御により、以下の処理を実行する。
【００４８】
通信装置１の制御部１０は、第１移動端末装置２との近距離通信による接続が確立されており、かつ遠距離通信による接続が可能であるか否かを判別する（Ｓ１０１）。ステップＳ１０１では、近距離用及び遠距離用のいずれの通信も可能である状態であるか否かを判別する。通信の可否は、通信装置１の記録部１１に予め記録されている第１移動端末装置２の識別情報及び第２移動端末装置３の識別情報に基づいて判別される。
【００４９】
ステップＳ１０１において、近距離用及び遠距離用のいずれの通信も可能であると判別した場合（Ｓ１０１：ＹＥＳ）、通信装置１の制御部１０は、第１移動端末装置２と接続していた近距離通信が切断され、通信が不可能であるか否かを判別する（Ｓ１０２）。ステップＳ１０２では、第１移動端末装置２が通信装置１との近距離通信圏外から離脱して、近距離通信の再接続が不可能になった状態を、通信が切断されたと判別する。なお、ステップＳ１０１の判別処理からステップＳ１０２までの判別処理の時間が短すぎる場合、近距離通信切断を捉えきれない状況が発生する可能性がある。従って、ステップＳ１０１の判別後に所定時間待機する、ステップＳ１０２の判別処理の判別結果が「ＮＯ」の場合に同判別処理を所定回数又は所定時間繰り返す等の処理を付加しても良い。
【００５０】
ステップＳ１０２において、第１移動端末装置２との近距離通信が切断されたと判別した場合（Ｓ１０２：ＹＥＳ）、通信装置１の制御部１０は、第１移動端末装置２との遠距離通信が可能か否かを判別する（Ｓ１０３）。ステップＳ１０３は、近距離通信が不可能な場合で、遠距離通信も不可能であるとき、第１移動端末装置２は、電源切断、故障等の通信不能状態にあると考えられるため、そのような状態を以降の処理の対象から除外するための処理である。このように、通信装置１は、第１移動端末装置２に対する通信の状態を判別する処理を第１通信条件とし、ステップＳ１０２及びＳ１０３において第１通信条件を満たすか否かを判別する。
【００５１】
ステップＳ１０３において、第１移動端末装置２との遠距離通信が可能であると判別した場合（Ｓ１０３：ＹＥＳ）、通信装置１の制御部１０は、第２移動端末装置３との近距離通信が可能であるか否かを判別する（Ｓ１０４）。通信装置１は、第２移動端末装置３に対する通信の状態を判別する処理を第２通信条件とし、ステップＳ１０４において第２通信条件を満たすか否かを判別する。
【００５２】
ステップＳ１０４において、第２移動端末装置３との近距離通信が可能であると判別した場合（Ｓ１０４：ＹＥＳ）、通信装置１の制御部１０は、所定の通信処理として、遠距離無線通信部１８から第１移動端末装置２へ出力指示命令を送信する（Ｓ１０５）。ステップＳ１０５にて送信する出力指示命令とは、第１移動端末装置２に、第２移動端末装置３を忘れている可能性がある旨を出力させるための命令を送信する処理である。出力指示命令は、第１移動端末装置２に、例えば、発光手段の発光、表示手段からの画像の表示、音声出力手段からの音声の出力、振動手段による振動等の出力処理を実行させる命令を示す電文情報である。なお、ステップＳ１０５では、出力指示命令の送信としているが、電子メールの送信等の様々な通信処理で代替することが可能である。ただし、その場合、通信装置１及び第１移動端末装置２に電子メール送受信機能等の代替通信処理用の機能を追加する必要がある。また、第１移動端末装置２に電話機能を追加し、通信装置１から第１移動端末装置２へ電話通信に係る発呼処理を行う様にしても良い。
【００５３】
なお、ステップＳ１０１において、近距離用及び遠距離用のうち少なくとも一方の通信が不可能であると判別した場合（Ｓ１０１：ＮＯ）、ステップＳ１０２において、第１移動端末装置２との近距離通信が可能であると判別した場合（Ｓ１０２：ＮＯ）、ステップＳ１０３において、第１移動端末装置２との遠距離通信が不可能であると判別した場合（Ｓ１０３：ＮＯ）、又は、ステップＳ１０４において、第２移動端末装置３との近距離通信が不可能であると判別した場合（Ｓ１０４：ＮＯ）、通信装置１の制御部１０は、ステップＳ１０１へ戻り、以降の処理を繰り返す。なお、ステップＳ１０１からの処理の再実行に際し、必要に応じて所定時間待機するようにしても良い。
【００５４】
以上のように、通信装置１は、第１通信条件を満たすと判別した場合に、第２通信条件を満たすか否かを判別し、第２通信条件を満たすと判別したとき、第１移動端末装置２へ所定の通信処理を行う。第１通信条件及び第２通信条件を満たす場合、第２移動端末装置３が近距離通信圏内であるにも関わらず、第１移動端末装置２が近距離通信圏外ということになる。即ち、通信装置１から第２移動端末装置３までの距離と比べて、通信装置１から第１移動端末装置２までの距離が遠いということになる。このような第１移動端末装置２のみが近距離通信圏外となり、第２移動端末装置３と比べて第１移動端末装置２が遠い状況としては、ユーザが第２移動端末装置３の携帯を忘れて外出したという状況が想定される。したがって、通信装置１は、第１通信条件及び第２通信条件を満たす場合、第２移動端末装置３までの距離と比べて第１移動端末装置２までの距離が遠く、第２移動端末装置３の携帯を忘れて外出した可能性がある旨を示す情報を、出力指示命令として送信するのである。また、第１通信条件を満たしながらも、第２通信条件を満たさない場合、通信装置１は、ユーザが第１移動端末装置２及び第２移動端末装置３の両方を携帯して外出したと判別し、所定の通信処理を実行しない。
【００５５】
図７は、本発明の第１の実施形態に係る通信システムにて用いられる第１移動端末装置２の処理の一例を示すフローチャートである。第１移動端末装置２の制御部２０は、遠距離無線通信部２５により、出力指示命令を受信する（Ｓ２０１）。ステップＳ２０１にて受信する出力指示命令は、通信装置１が送信した電文情報である。即ち、ステップＳ２０１は、通信装置１との間で、近距離通信により接続を確立した通信が切断され、かつ遠距離通信による通信が可能である場合に、通信装置１からの所定の通信処理として出力指示命令を受信する処理である。
【００５６】
第１移動端末装置２の制御部１０は、受信した出力指示命令に基づく出力を出力部２３から行う（Ｓ２０２）。ステップＳ２０２では、例えば、発光手段の発光、表示手段からの画像の表示、音声出力手段からの音声の出力、振動手段による振動、受信した電子メールの表示、電話通信に係る着呼による鳴動等の出力処理を実行する。実行される出力処理により、ユーザは、第２移動端末装置３が通信装置１と近距離通信が可能な状態であることを認識する。ユーザは、第２移動端末装置３が通信装置１の近距離通信が可能な状態にあることから、第２移動端末装置３の携帯を忘れて外出したことを認識することができる。
【００５７】
以上のように、本発明に係る通信システムでは、通信装置１は、第１移動端末装置２との近距離通信が切断され、かつ遠距離通信が可能という第１通信条件を満たす場合に、第２移動端末装置３との近距離通信が可能という第２通信条件を満たすか否かを判別する。そして、第１通信条件及び第２通信条件を満たすとき、通信装置１は、第１移動端末装置２へ出力指示命令の送信等の所定の通信処理を行う。なお、通信処理を行うのは、通信装置１と、第１移動端末装置２又は第２移動端末装置３との間だけであるので、第１移動端末装置２及び第２移動端末装置３の間で通信処理を行う必要は無い。即ち、通信に要する識別情報の記録等の作業は、通信装置１に対して行えば良く、各移動端末装置間で相互認識させるための作業は必要ない。このように、通信装置１は、複数の移動端末装置との通信状況を判別して携帯忘れ等のトラブルの有無を判別するので、全ての機器に、全ての機器の識別情報を登録する必要が無いため、利便性に優れている等、優れた効果を奏する。
【００５８】
（第２の実施形態）
第２の実施形態は、第１の実施形態において、複数の移動端末装置を組としてグループ化する形態である。以降の説明において、第１の実施形態と同様の構成については、第１の実施形態と同様の符号を付し、第１の実施形態を参照するものとし、その説明を省略する。
【００５９】
図８は、本発明の第２の実施形態に係る通信システムの構成例を概念的に示す説明図である。第２の実施形態に係る通信システムは、固定電話等の通信装置１と、通信装置１との無線通信が可能な複数台の移動端末装置とを備えている。以下では、移動端末装置として、第１移動端末装置２、第２移動端末装置３、第３移動端末装置４及び第４移動端末装置５を用いる例について説明する。
【００６０】
第１移動端末装置２及び第２移動端末装置３の構成は、第１の実施形態と同様である。第３移動端末装置４及び第４移動端末装置５の構成は、第１の実施形態における第２移動端末装置３と同様である。また、通信装置１は、第１の実施形態と同様の構成であるが、記録部１１の記録領域の一部を、移動端末装置の組を記録するグループテーブル１１１として用いる。
【００６１】
図９は、本発明の第２の実施形態に係る通信装置１が備えるグループテーブル１１１の記録内容を概念的に示す説明図である。グループテーブル１１１には、グループ化した移動端末装置について、組を示す組名称と、各移動端末装置のそれぞれの識別情報とが対応付けられたレコード形式で記録されている。図９は、第１組として、第１移動端末装置２の識別情報と第２移動端末装置３の識別情報とが対応付けられ、第２組として第３移動端末装置４の識別情報と第４移動端末装置５の識別情報とが対応付けられている例を示している。
【００６２】
次に各種装置の処理について説明する。図１０は、本発明の第２の実施形態に係る通信システムにて用いられる通信装置１の処理の一例を示すフローチャートである。通信装置１は、記録部１１に記録されている通信プログラム１１０を実行する制御部１０の制御により、以下の処理を実行する。
【００６３】
通信装置１の制御部１０は、第１移動端末装置２に対し、第１の実施形態で示したステップＳ１０１〜Ｓ１０３の処理を実行し、第１通信条件を満たすか否かを判別する。
【００６４】
第１通信条件を満たす場合、即ち、接続していた第１移動端末装置２との近距離通信が切断され、通信が不可能であり（Ｓ１０２：ＹＥＳ）、かつ遠距離通信が可能である場合（Ｓ１０３：ＹＥＳ）、通信装置１は、以下の処理を実行する。
【００６５】
通信装置１の制御部１０は、記録部１１に記録されているグループテーブル１１１を参照し、第１移動端末装置２を示す識別情報に対応付けて記録されている他の識別情報を抽出する（Ｓ３０１）。図９に例示したグループテーブル１１１では、第１移動端末装置２の識別情報に対応付けて、第２移動端末装置３の識別情報が記録されていることから、ステップＳ３０１では、第２移動端末装置３の識別情報が抽出される。
【００６６】
通信装置１の制御部１０は、抽出した第２移動端末装置３に対し、第１の実施形態で示したステップＳ１０４の第２通信条件に係る処理、即ち、近距離通信が可能であるか否かを判別する（Ｓ１０４）。以降の処理は、第１の実施形態と同様であるので、第１の実施形態を参照するものとし、その説明を省略する。
【００６７】
このように第２の実施形態は、第１通信条件を満たす場合、第２通信条件の判別対象となる他の移動端末装置を、グループテーブル１１１を参照して決定する形態である。なお、第２通信条件を満たすときに通信装置１から送信される出力指示命令を受信した第１移動端末装置２の処理は、第１の実施形態と同様であるので、第１の実施形態を参照するものとし、その説明を省略する。
【００６８】
図１０に例示した処理は、通信装置１が、第１移動端末装置２について通信条件を判別する場合の処理を示しており、通信装置１は、図１０に例示する処理を各移動端末装置に対してそれぞれ実行する。
【００６９】
第２の実施形態では、グループテーブル１１１を用いて移動端末装置をそれぞれグループ化することにより、１台の通信装置１で複数組の移動端末装置を管理することが可能である。従って、例えば、家族内で、各人がそれぞれ２台の移動端末装置の識別情報を、通信装置１に記録しておくことにより、それぞれ移動端末装置の携帯忘れ等のトラブルを防止することができる。しかも、各人が携帯すべき２台の移動端末装置のいずれを忘れても、通知が行われることになる。また、第１の実施形態でも示したように、移動端末装置の数が増加しても、識別情報の登録は通信装置１に対して行えば良いので、利便性を損ねることがない。
【００７０】
（第３の実施形態）
第３の実施形態は、第１の実施形態において、ユーザが２台の移動端末装置を携帯して外出した場合に、誤動作を防止する形態である。以降の説明において、第１の実施形態と同様の構成については、第１の実施形態と同様の符号を付し、第１の実施形態を参照するものとし、その説明を省略する。
【００７１】
図１１は、本発明の第３の実施形態に係る通信システムの構成例を概念的に示す説明図である。図１１（ａ）に示すように、第３の実施形態では、第１の実施形態と同様に、通信装置１と、第１移動端末装置２及び第２移動端末装置３とを用い、１人のユーザが、第１移動端末装置２及び第２移動端末装置３を携帯する。
【００７２】
そして、図１１（ｂ）に示すように、ユーザは、第１移動端末装置２及び第２移動端末装置３を携帯して外出する。したがって、通信装置１は、第１移動端末装置２及び第２移動端末装置３の双方と近距離用の無線通信が切断されることになる。しかしながら、第１移動端末装置２の近距離無線通信部２４と第２移動端末装置３の近距離無線通信部３６とは、回路の種別、方式、回路構成、ソフト構成、その他各種個体差が存在する。そのため、通信装置１との近距離通信が、第１移動端末装置２及び第２移動端末装置３で同時に切断されるとは限らない。したがって、ユーザが第１移動端末装置２及び第２移動端末装置３を携帯しているにも関わらず、通信装置１から第１移動端末装置２へ出力指示命令が送信されるという誤動作が生じる可能性がある。第３の実施形態は、このような誤動作を防止する形態である。
【００７３】
次に各種装置の処理について説明する。図１２は、本発明の第３の実施形態に係る通信システムにて用いられる通信装置１の処理の一例を示すフローチャートである。通信装置１は、記録部１１に記録されている通信プログラム１１０を実行する制御部１０の制御により、以下の処理を実行する。
【００７４】
通信装置１の制御部１０は、第１の実施形態で示したステップＳ１０１〜Ｓ１０３の処理を実行し、第１通信条件を満たすか否かを判別する。
【００７５】
第１通信条件を満たす場合、即ち、接続していた第１移動端末装置２との近距離通信が切断され、通信が不可能であり（Ｓ１０２：ＹＥＳ）、かつ遠距離通信が可能である場合（Ｓ１０３：ＹＥＳ）、通信装置１は、以下の処理を実行する。
【００７６】
第１通信条件を満たす場合、通信装置１の制御部１０は、予め設定されている５分等の所定時間待機する（Ｓ４０１）。そして、通信装置１の制御部１０は、第１通信条件についての判別から所定時間経過後、第１の実施形態で示したステップＳ１０４の第２通信条件に係る処理、即ち、近距離通信が可能であるか否かを判別する（Ｓ１０４）。以降の処理は、第１の実施形態と同様であるので、第１の実施形態を参照するものとし、その説明を省略する。
【００７７】
このように第３の実施形態は、第１通信条件を満たす場合、所定時間待機後、第２通信条件についての判別処理を行う形態である。なお、第２通信条件を満たすときに通信装置１から送信される出力指示命令を受信した第１移動端末装置２の処理は、第１の実施形態と同様であるので、第１の実施形態を参照するものとし、その説明を省略する。
【００７８】
第３の実施形態では、第１通信条件を判別後、所定時間待機することにより、第１移動端末装置２及び第２移動端末装置３の近距離通信が切断される場合の時間差を吸収し、誤動作を防止することができる。
【００７９】
前記第１乃至第３の実施形態は、本発明の無数に存在する実施例の一部を開示したに過ぎず、目的、用途、仕様、設定等の様々な要因を加味して適宜設計することが可能である。
【００８０】
例えば、前記第１の実施形態では、キーホルダ型の無線機を第１移動端末装置２として用い、携帯型電話機を第２移動端末装置３として用いる形態を示したが、本発明はこれに限らず、両方とも携帯型電話機とする等、様々な装置を用いることが可能である。また、この場合、第２移動端末装置３の携帯忘れを判別するだけでなく、両方の移動端末装置の携帯忘れを判別する等、適宜設定することが可能である。さらに、各装置として、通信装置１には、固定電話だけで無く、無線ＬＡＮルータ装置等の様々な無線装置を用いることが可能であり、移動端末装置としては、タブレットＰＣ等の様々な携帯型の無線装置を用いることが可能である。
【００８１】
また、前記実施形態では、２台の移動端末装置を用いた形態を示したが、本発明はこれに限らず、３台以上の移動端末装置を用い、それらの移動端末装置の通信状況の組み合わせに応じて、出力指示命令を送信する等、適宜設定することが可能である。
【００８２】
さらに、前記実施形態では、通信装置１が全ての処理の基点となる形態を示したが、本発明はこれに限らず、例えば、近距離通信の可否を第１移動端末装置２にて判別する形態であってもよい。即ち、第１移動端末装置２が、第１通信条件を満たすと判別した場合に、その旨を通信装置１へ送信し、通信装置１にて第２通信条件を判定するようにすることも可能である。
【００８３】
また、第１乃至第３の実施形態は、それぞれ独立して実行するだけでなく、適宜組み合わせて実行することも可能である。
【符号の説明】
【００８４】
１  通信装置
１０  制御部
１１  記録部
１１０  通信プログラム
１１１  グループテーブル
１６  近距離無線通信部
１７  遠距離無線通信部
１８  電話通信部
２  第１移動端末装置
２０  制御部
２４  近距離無線通信部
２５  遠距離無線通信部
３  第２移動端末装置
３０  制御部
３６  近距離無線通信部
３７  遠距離無線通信部
４  第３移動端末装置
５  第４移動端末装置
【図１】
2015053551.tif 000003
【図２】
2015053551.tif 000004
【図３】
2015053551.tif 000005
【図４】
2015053551.tif 000006
【図５】
2015053551.tif 000007
【図６】
2015053551.tif 000008
【図７】
2015053551.tif 000009
【図８】
2015053551.tif 000010
【図９】
2015053551.tif 000011
【図１０】
2015053551.tif 000012
【図１１】
2015053551.tif 000013
【図１２】
2015053551.tif 000014